(57)【要約】      （修正有）【課題】地面からの衝撃を足裏全体で緩和させることができ、足の負担を十分に軽減し、及び弾力性に富む十分な履き心地を得ることができる衝撃緩和シューズを提供する。【解決手段】地面に触れるシューズ底面の上部に厚肉の弾性部材を設けた靴底本体と、靴底本体の上部に設けられ、足裏全体を覆う衝撃緩和手段とを有し、衝撃緩和手段は、靴底本体との間に空間を介し設けられ、足裏より大形の中敷部と、中敷部を内部に収容し、靴底本体の外周内面上部に設けられた枠部と、枠部の上部と中敷部を連結させることにより中敷部を支持し、弾性体からなる弾性部を備えたことを特徴とする。【選択図】図１
0003160381.tif 000002
【実用新案登録請求の範囲】
【請求項１】
地面からの衝撃を緩和させるシューズであって、
地面に触れるシューズ底面の上部に厚肉の弾性部材を設けた靴底本体と、
該靴底本体の上部に設けられ、足裏全体を覆う衝撃緩和手段と、を有し、
前記衝撃緩和手段は、
前記靴底本体との間に空間を介し設けられ、足裏より大形の中敷部と、
該中敷部を内部に収容し、前記靴底本体の外周内面上部に設けられた枠部と、
該枠部の上部と前記中敷部を連結させることにより前記中敷部を支持し、弾性体からなる弾性部を備えたことを特徴とする衝撃緩和シューズ。
【請求項２】
前記弾性部は、
足の甲の両側部分と踵部分のみに設けられたことを特徴とする請求項１記載の衝撃緩和シューズ。
【請求項３】
前記弾性部は、ゴムからなることを特徴とする請求項１または２に記載の衝撃弾性シューズ。
【請求項４】
前記中敷部は、板状形状からなることを特徴とする請求項１〜３のいずれか１項に記載の衝撃弾性シューズ。
【請求項５】
前記中敷部には、前記弾性部が通過する位置に切り欠き部を設けたことを特徴とする請求項１〜４のいずれか１項に記載の衝撃弾性シューズ。
【請求項６】
前記枠部上部、前記中敷部の少なくともいずれか一方には、前記弾性部が折り返す位置に支軸ピンを設けたことを特徴とする請求項１〜５のいずれか１項に記載の衝撃弾性シューズ。
【考案の詳細な説明】
【技術分野】
【０００１】
本考案は地面からの衝撃を緩和させるシューズに関する。
【背景技術】
【０００２】
従来、地面からの衝撃を緩和させるシューズとしては、弾性部材を厚肉として平面形状を靴底の平面形状に合わせ且つ先端側を爪先側部分、後端側を踵部分とした中底本体と、該中底本体の踵部分に対応する平面形状とした台座と、該台座と上記踵部分との間に上下方向に伸縮するように介装させた圧縮スプリングとからなる中底を、靴内部に組み込んで、中底本体の爪先側部分と台座を靴底の内面に固定させた構成を有するものがあった。
【先行技術文献】
【特許文献】
【０００３】
【特許文献１】特開２００５−１９２８１７
【考案の概要】
【考案が解決しようとする課題】
【０００４】
しかしながら、上記特許文献１に記載されたシューズでは、踵部分に圧縮スプリングが設けられているため、その圧縮スプリングの弾性力が特定の箇所に集中してしまい、地面からの衝撃を足裏全体で緩和させることができなかった。そのため、足の負担を十分に軽減できないとともに、弾力性に富む十分な履き心地を得ることができないという問題があった。  
【０００５】
本考案は、このような課題を解決するためになされたものであり、地面からの衝撃を足裏全体で十分緩和することにより、足の負担を軽減することができるともに、弾力性に富む十分な履き心地を得ることができるシューズを提供することを目的とする。
【課題を解決するための手段】
【０００６】
本考案は、地面からの衝撃を緩和させるシューズであって、地面に触れるシューズ底面の上部に厚肉の弾性部材を設けた靴底本体と、該靴底本体の上部に設けられ、足裏全体を覆う衝撃緩和手段と、を有し、衝撃緩和手段は、靴底本体との間に空間を介し設けられ、足裏より大形の中敷部と、該中敷部を内部に収容し、靴底本体の外周内面上部に設けられた枠部と、該枠部の上部と中敷部を連結させることにより中敷部を支持し、弾性体からなる弾性部を備えたことを特徴とする。
【０００７】
本考案によれば、衝撃緩和手段が、靴底本体との間に空間を介し設けられ、足裏より大形の中敷部と、該中敷部を内部に収容し、靴底本体の外周内面上部に設けられた枠部と、該枠部の上部と中敷部を連結させることにより中敷部を支持し、弾性体からなる弾性部を備えているので、衝撃緩和手段からの弾性力を足裏全体で受けることができ、地面からの衝撃を足裏全体で緩和させることができる。これにより、足の負担をより軽減することができ、弾力性に富む十分な履き心地を得ることができる。
【０００８】
本考案は、弾性部が足の甲の両側部分と踵部分のみに設けられたことを特徴とする。
【０００９】
枠部の上部と中敷部周辺全体を弾性部で連結することにより中敷部を支持するようにすれば中敷部が沈みにくくなるが、本考案のように、弾性部が足の甲の両側部分と踵部分のみに設けるようにすることにより、中敷部が上下に移動しやすくなりより弾力性に富んだ履き心地のよいシューズを提供することができる。
【００１０】
本考案は、弾性部がゴムからなることを特徴とする。
【００１１】
本考案によれば、弾性部をゴムにすることにより、安価で製造しやすい弾力性に富んだシューズを提供することができる。
【００１２】
本考案は、中敷部が板状形状からなることを特徴とする。
【００１３】
本考案によれば、中敷部を板状形状にすることにより、中敷と足裏のフィット感が増し、弾力性に富み安定したシューズを提供することができる。
【００１４】
本考案は、中敷部には、前記弾性部が通過する位置に切り欠き部を設けたことを特徴とする。
【００１５】
本考案によれば、弾性部の伸縮による中敷部の可動をスムーズなものとし、弾力性に富み安定したシューズを提供することができる。
【００１６】
本考案は、枠部上部、中敷部の少なくともいずれか一方の弾性部が折り返す位置に支軸ピンを設けたことを特徴とする。
【００１７】
本考案によれば、弾性部が枠部上部や中敷部の縁部との接触によって摩耗するのを防ぎ、弾力性に富み耐久性のあるシューズを提供することができる。
【考案の効果】
【００１８】
本考案によれば、地面からの衝撃を十分緩和することができ、足の負担を軽減することができるシューズを提供することができる。
【図面の簡単な説明】
【００１９】
【図１】本考案の一実施形態における衝撃緩和シューズの外観斜視図である。
【図２】同衝撃緩和シューズの分解斜視図である。
【図３】図１のＡ−Ａ断面図である。
【図４】本考案の一実施形態における衝撃緩和手段の上部（表側）外観斜視図である。
【図５】同衝撃緩和手段の下部（裏側）外観斜視図である。
【図６】図４のＢ−Ｂ断面図である。
【考案を実施するための形態】
【００２０】
以下、本考案にかかる衝撃緩和シューズを実施するための形態について図面を参照しながら説明する。
【００２１】
図１に、本考案の一実施形態における衝撃緩和シューズの外観斜視図を示す。図１において、衝撃緩和シューズ１００は、靴の甲の部分（底部を除く靴上部のすべて）であるアッパー部１０１と、靴底本体１０２と、衝撃緩和手段１０３とからなる。アッパー部１０１には、面ファスナーや靴紐などのストッパー部１０４と、靴内部に土や砂が侵入するのを防ぐベロ部１０５とが設けられている。アッパー部１０１の材質には、本革や人工皮革などの皮革のほか、ナイロン、布（キャンバス）等、靴に用いることができるあらゆる材質を使用することができる。また、本考案が適用可能な靴の種類についても、ビジネスシューズやカジュアルシューズのみならず、スポーツシューズやサンダルなどにも広く適用可能である。以下は、一実施形態として、図１に示したカジュアルスポーツタイプのシューズに基づいて説明する。
【００２２】
図２に、本考案の一実施形態における衝撃緩和シューズの分解斜視図を示す。衝撃緩和シューズ１００は、大きく分けて、アッパー部１０１と、靴底本体１０２と、衝撃緩和手段１０３とに分解可能であり、靴底本体１０２は、図示しないアウトソール（シューズ底面）の上部に厚肉の弾性部材を設けてなる。アウトソールは地面に触れるシューズ底面の部分であり、革やゴムなどが使用される。厚肉の弾性部材には、例えばポリウレタンや合成樹脂、ラバーなどのクッション性のある素材を用いることができる。また、靴底本体１０２の上部周縁には、衝撃緩和手段１０３を位置決め規制するガイド部２０７が設けられている。
【００２３】
衝撃緩和手段１０３は、靴底本体１０２の上部にガイド部２０７に位置決め規制されて設けられ、より詳細には、中敷部２０１と、枠部２０２と、弾性部２０３と、踵弾性部２０６とからなる。中敷部２０１は、足裏より大型であるが靴底上部よりはやや小さい板状形状の部材である。そして、中敷部２０１を内部に収容し、靴底本体１０２の上部外周部に接するように枠部２０２が設けられている。このとき、枠部２０２は、中敷部２０１の外周を覆うように形成され、枠部２０２の下縁部はガイド２０７の内周にちょうど収まるような形状となる。
【００２４】
また、図２に示されるように、中敷部２０１は、その前方部分の左右それぞれ１箇所において、取付金具２０８（表側）、２０９（図５参照）及び固定部材２０４、２０５を介して弾性部２０３により枠部２０２に連結されている。また、踵部分（図中において４箇所）においても取付金具（図５参照（取付金具２０８、２０９と同等のもの））及び固定部材２０４、２０５を介して踵弾性部２０６により枠部２０２に連結されている。より詳細には、図２における各々の弾性部２０３は、その一端は中敷部２０１の裏面に取付金具２０９を介して固定部材２０４、２０５（例えば、ビス及びナット）により固定され、その他端は枠部２０２上部の外面に取付金具２０８を介して固定部材２０４、２０５により固定される（踵弾性部２０６も同様に固定）。これにより、中敷部２０１は、図２において、弾性部２０３及び踵弾性部２０６により枠部２０２上部から吊るされるように、枠部２０２と連結される。換言すれば、図２における弾性部２０３及び踵弾性部２０６は、枠部２０２上部から中敷部２０１を支持する。そして、中敷部２０１は、後述するように、地面からの衝撃や足から伝わる重みでその全体が靴底本体１０２に向かって沈み込む。
なお、中敷部２０１の前方部分の左右それぞれ１箇所に設けた弾性部２０３は、その強度を保つために左右それぞれ２箇所、あるいは、片側１箇所及び反対側２箇所に設けることとしてもよい。また、踵部分に設けられた踵弾性部２０６についても、その強度設計によって、固定箇所を２ないし３箇所、あるいは５箇所（あるいはそれ以上）としてもよい。
【００２５】
図３は、図１のＡ−Ａ断面図である。図３の枠部２０２の断面に示すように、中敷部２０１は、枠部２０２の中段からやや上部に位置する高さになるように弾性部２０３によって吊るされた状態で支持されている。このとき、靴底本体１０２の上面とこの靴底本体上部に設けられた枠部２０２の内側面と中敷部２０１の底面とで枠部内空間３０１が形成される。この空間３０１は、足から伝わる体重によって沈み込む中敷部２０１の可動範囲を確保するような高さを有するよう構成される。特に、人が走ったり運動する場合には体重の何倍もの荷重が靴底に伝わるため、その重みを考慮した空間が確保される。このような弾性部２０３及び枠部内空間３０１を設けることにより、衝撃緩和手段１０３を介して地面からの衝撃を足裏全体で緩和させることができる。また、足の負担をより軽減することができ、弾力性に富んだ履き心地のよりシューズを提供することができる。なお、靴底本体１０２の断面３０２には、厚肉の弾性部材が充填されている。
また、この枠部内空間３０１の全部又は一部にクッション材（図示略）を装填するように構成してもよい。
【００２６】
図４に、本考案の一実施形態における衝撃緩和手段の上部（表側）外観斜視図を示す。図４において、中敷部２０１は、足裏と接する表（おもて）面である。図４によって、中敷部２０１がその表（おもて）面においてどのように枠部２０２と連結されているかが示されている。すわなち、中敷部２０１は、甲の両側部分２箇所と踵部分とにおいて、取付金具２０８、２０９、及び固定部材２０４、２０５を介して固定された弾性部２０３及び踵弾性部２０６によって吊るされるかたちで連結している。弾性部２０３及び踵弾性部２０６は、それぞれゴムなどの弾性部材で構成されているので、足裏から伝わる荷重や、運動時などの地面から伝わる衝撃に対し、中敷部２０１全体が沈み込むように可動する。これにより、人体の膝や腰に与える衝撃や負担を軽減するよう作用する。
【００２７】
弾性部２０３及び踵弾性部２０６は、中敷部２０１に対しては、取付金具２０９（裏側）を介してその裏面にビスなどの固定部材２０４とナットなどの固定部材２０５とで固着されており、枠部２０２に対しても、取付金具２０８（表側）を介してその側面外側にビスなどの固定部材２０４とナットなどの固定部材２０５とで固着されている。
【００２８】
なお、弾性部２０３が枠部２０２の固着部分から枠部２０２の上部を折り返す位置には、支軸ピン４１０が設けられており、弾性部２０３が枠部２０２上部との接触によって摩耗するのを防いでいる。さらに、中敷部２０１上の弾性部２０３が通過する位置には弾性部２０３の幅及び厚みよりもやや広い切り欠き部４０１が設けられており、荷重や衝撃による中敷部２０１の可動がスムーズになるよう配慮されている。また、中敷部２０１上の踵部の踵弾性部２０６が通過する位置にも、弾性部２０３の幅及び厚みよりもやや広い切り欠き部４０３が設けられ、これにより中敷部２０１全体のスムーズな可動が実現されている。
【００２９】
また、図４において、枠部２０２の踵部に設けられた踵弾性部２０６にも支軸ピンを用いることができる。この場合、踵弾性部２０６と枠部２０２上部との接触や、踵弾性部２０６と中敷部２０１との摩擦に対する十分な耐久性が得られる。
【００３０】
図５に、本考案の一実施形態における衝撃緩和手段の下部（裏側）外観斜視図を示す。図５において、中敷部２０１は、靴底本体上部と相対する裏面である。図５によって、中敷部２０１がその裏面においてどのように枠部２０２と連結されているかが示されている。すなわち、中敷部２０１は、上述のとおり弾性部２０３及び踵弾性部２０６によって枠部２０２に連結されており、弾性部２０３及び踵弾性部２０６の両端部は、取付金具２０８、２０９を介して固定部材２０４、２０５によって中敷部２０１及び枠部２０２にそれぞれ固定されている。また、図５において、弾性部２０３を中敷部２０１の固着部から縁部へ通過させる際の構造として、この固着部と縁部との間に支軸ピン４１１（裏側）が設けられており、弾性部２０３が中敷部２０１の縁部との接触によって摩耗するのを防いでいる。さらに、中敷部２０１上の弾性部２０３が通過する位置には弾性部２０３の厚みよりもやや幅のある切り欠き部４０２が設けられ、荷重や衝撃による中敷部２０１の可動がスムーズになるよう配慮されている。
【００３１】
図６は、図４のＢ−Ｂ断面図である。図６において、靴底本体１０２の上部とこの靴底本体上部に設けられた枠部２０２の内側面と中敷部２０１の底面とで形成される枠部内空間３０１が確認できる。この空間３０１は、すでに述べたとおり、足から伝わる体重によって沈み込む中敷部２０１の可動範囲を確保するような高さを有するよう構成される。特に、人が走ったり運動する場合には体重の何倍もの荷重が靴底に伝わるため、その重みを考慮した空間が確保される。このような弾性部２０３及び枠部内空間３０１を設けることにより、衝撃緩和手段１０３を介して地面からの衝撃を足裏全体で緩和させることができる。なお、この枠部内空間３０１の全部又は一部にクッション材（図示略）を装填するように構成してもよい。枠部内空間３０１の全体に装填するクッション材としては、ポリウレタン素材、弾性ゼリー素材などがある。枠部内空間３０１の一部にクッション材を装填する場合には、踵部分にポリウレタン素材や弾性ゼリー素材を装填するように構成してもよい。また、踵部分には特に大きな荷重や衝撃が加わるため、枠部内空間３０１において、踵部分には弾性ゼリー素材を装填し、踵部分以外にはポリウレタン素材を装填するように、足裏の部位に対応する場所によって装填する素材を変えるよう構成してもよい。
【００３２】
以上説明したとおり、本考案に係る衝撃緩和シューズによれば、靴底本体との間に空間を介し設けられた中敷部と、この中敷部を内部に収容し靴底本体の外周内面上部に設けられた枠部と、この枠部の上部と前記中敷部を連結させることにより前記中敷部を支持する弾性体からなる弾性部とを備えた衝撃緩和手段によって発生する弾性力を足裏全体で受けることができるので、例えば、足裏にかかる体重や運動時に受ける地面からの大きな衝撃を足裏全体で緩和させることができる。これにより、足の負担をより軽減することができ、弾力性に富む十分な履き心地を得ることができる。
【００３３】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００３４】
１００  衝撃緩和シューズ
１０１  アッパー部
１０２  靴底本体
１０３  衝撃緩和手段
１０４  ストッパー部
１０５  べろ部
２０１  中敷部
２０２  枠部
２０３  弾性部
２０４、２０５  固定部材（ビス及びナット）
２０６  踵弾性部
２０７  ガイド部
２０８、２０９  取付金具（表側、裏側）
３０１  枠部内空間
４０１、４０２、４０３  切り欠き部
４１０、４１１  支軸ピン（表側、裏側）
【図１】
0003160381.tif 000003
【図２】
0003160381.tif 000004
【図３】
0003160381.tif 000005
【図４】
0003160381.tif 000006
【図５】
0003160381.tif 000007
【図６】
0003160381.tif 000008
【手続補正書】
【提出日】平成22年4月8日(2010.4.8)
【手続補正１】
【補正対象書類名】実用新案登録請求の範囲
【補正対象項目名】全文
【補正方法】変更
【補正の内容】
【実用新案登録請求の範囲】
【請求項１】
地面からの衝撃を緩和させるシューズであって、
地面に触れるシューズ底面の上部に厚肉の弾性部材を設けた靴底本体と、
該靴底本体の上部に設けられ、足裏全体を覆う衝撃緩和手段と、を有し、
前記衝撃緩和手段は、
前記靴底本体との間に空間を介し設けられ、足裏より大形の中敷部と、
該中敷部を内部に収容し、前記靴底本体の外周内面上部に設けられた枠部と、
該枠部の上部と前記中敷部を連結させることにより前記中敷部を支持し、弾性体からなる弾性部を備えたことを特徴とする衝撃緩和シューズ。
【請求項２】
前記弾性部は、
足の甲の両側部分と踵部分のみに設けられたことを特徴とする請求項１記載の衝撃緩和シューズ。
【請求項３】
前記弾性部は、ゴムからなることを特徴とする請求項１または２に記載の衝撃緩和シューズ。
【請求項４】
前記中敷部は、板状形状からなることを特徴とする請求項１〜３のいずれか１項に記載の衝撃緩和シューズ。
【請求項５】
前記中敷部には、前記弾性部が通過する位置に切り欠き部を設けたことを特徴とする請求項１〜４のいずれか１項に記載の衝撃緩和シューズ。
【請求項６】
前記枠部上部、前記中敷部の少なくともいずれか一方には、前記弾性部が折り返す位置に支軸ピンを設けたことを特徴とする請求項１〜５のいずれか１項に記載の衝撃緩和シューズ。